(57)【要約】【課題】安定して十分な反射率を得られるフロントモニタ用反射板を有する安価な光ヘッドを提供すること。【解決手段】光ヘッド１のフロントモニタ用反射板１２として焼結セラミクスを用いる。焼結セラミクスは安定して十分な反射率を有し、かつフロントモニタ用反射板として焼結セラミクスを備える光ヘッドは数十層もの薄膜を積層させた誘電体多層コートに比べて安価に製造できるので、上記のようにすることにより、安定して十分な反射率を得られるフロントモニタ用反射板を有する安価な光ヘッドを提供することが可能になっている。【選択図】図１
2009193621.tif 000002
【特許請求の範囲】
【請求項１】
フロントモニタ用反射板として焼結セラミクスを用いることを特徴とする光ヘッド。
【請求項２】
前記焼結セラミクスはアルミナの焼結体であることを特徴とする請求項１に記載の光ヘッド。
【請求項３】
光源と光検出器とを備え、
前記フロントモニタ用反射板は前記光源から射出される光ビームの一部を反射し、
前記光検出器は前記フロントモニタ用反射板の反射光を受光することを特徴とする請求項１又は２に記載の光ヘッド。
【請求項４】
前記光源を含む複数の光源を備え、
前記複数の光源はそれぞれ互いに異なる波長の光ビームを射出し、
前記フロントモニタ用反射板は前記各光源から射出される各光ビームそれぞれの一部を反射し、
前記光検出器は前記フロントモニタ用反射板によって反射された前記各光ビームを受光することを特徴とする請求項３に記載の光ヘッド。
【請求項５】
前記光ビームの光路の側方に開口部を有する筐体をさらに備え、
前記フロントモニタ用反射板は、前記筐体のうち前記開口部の前記光源に対向する側面部分に、反射光が前記開口部から前記筐体の外部方向へ進むよう取り付けられ、
前記光検出器は前記開口部に前記フロントモニタ用反射板に対向して設けられることを特徴とする請求項３又は４に記載の光ヘッド。
【請求項６】
前記筐体は回路主基板上に実装され、
前記開口部は前記筐体の前記回路主基板側の側面に設けられ、
前記光検出器は前記回路主基板上の前記開口部に対応する位置に設けられることを特徴とする請求項５に記載の光ヘッド。
【請求項７】
前記光検出器の付属回路をさらに備え、
前記付属回路は、前記回路主基板の前記光検出器の裏側に設けられることを特徴とする請求項６に記載の光ヘッド。
【請求項８】
請求項３乃至７のいずれか一項に記載の光ヘッドと、
前記光検出器の出力に応じて前記光源の出力を制御する光源出力制御手段と、
を備えることを特徴とする光学ドライブ装置。
【発明の詳細な説明】
【技術分野】
【０００１】
本発明は光ヘッドに関し、特に、光源の出力を好適にモニタするための光ヘッドに関する。また、本発明はこのような光ヘッドを備える光学ドライブ装置に関する。
【背景技術】
【０００２】
光学ドライブ装置では、ＣＤ(Compact Disc)、ＤＶＤ、ＨＤ−ＤＶＤ、ＢＤ(Blu-ray Disc)等の様々な種類の光記録媒体の記録や再生を行うために光ビームが用いられる。この光ビームは温度等の環境の変化や時間経過に対して安定していることが求められるが、光ビームを射出する半導体レーザ装置の出力は温度変動や経年変化によって変動するので、ＡＰＣ(Auto Power Control)と呼ばれる半導体レーザ装置の出力制御が行われる。
【０００３】
ＡＰＣを実現するための具体的な技術のひとつにフロントモニタ方式と呼ばれるものがある。フロントモニタ方式では、半導体レーザ装置から射出される光ビームの光路の一部を塞ぐ位置に反射板（以下、フロントモニタ用反射板という。）が設けられるとともに、このフロントモニタ用反射板で反射した光ビームを受光するための光検出器が設けられる。そして、光検出器で受光された光ビームの強度に応じて半導体レーザ装置の出力が制御される。
【０００４】
特許文献１には、上記フロントモニタ方式を実現する光ヘッドの例が開示されている。例えば特許文献１の第６の実施の形態（第０１０８段落〜第０１２４段落、図１５）に示される例では、筐体の上側（光記録媒体側）の壁面に開口部が設けられ、開口部の側面が斜めに形成されてフロントモニタ用反射板を構成している。また、筐体外側に開口部と接して光検出器が設けられる。また、特許文献１の第７の実施の形態（第０１２５段落〜第０１３７段落、図１６）に示される例では、開口部の側面の代わりに、筐体にねじ止めや接着に固定されているカバーの一部分が筐体内に導入され、フロントモニタ用反射板として用いられている。
【特許文献１】特開２００５−２０３０７４号公報
【発明の開示】
【発明が解決しようとする課題】
【０００５】
しかしながら、透過や乱反射による迷光の影響を避けるために反射面の反射率はある程度以上の値で安定していることが好ましいところ、上記特許文献１に記載の技術で用いているフロントモニタ用反射板は、Ａｌ合金、Ｚｎ合金、Ｍｇ合金等の金属（第０１１８段落）、プラスチック（第０１２０段落）、ステンレス等の鋼板や真鍮（第０１３３段落）などの材料で作られている。これらの材料は使用環境や経年変化による品質変化を呈するため、反射面の反射率が使用環境や経年変化によって変化する。
【０００６】
一方、ガラス板の上に数十層もの薄膜を積層させた誘電体多層コートをフロントモニタ用反射面上に設け、反射率を一定値で安定させたフロントモニタ用反射板が一般的であるが、このような誘電体多層コートを形成するためには複雑な製造工程が必要であり、コストアップにつながってしまっていた。
【０００７】
したがって、本発明の課題の一つは、安定して十分な反射率を得られるフロントモニタ用反射板を有する安価な光ヘッド及びそのような光ヘッドを備える光学ドライブ装置を提供することにある。
【課題を解決するための手段】
【０００８】
上記課題を解決するための本発明による光ヘッドは、フロントモニタ用反射板として焼結セラミクスを用いることを特徴とする。
【０００９】
本発明によれば、焼結セラミクスは安定して十分な反射率を有し、かつフロントモニタ用反射板として焼結セラミクスを備える光ヘッドは数十層もの薄膜を積層させた誘電体多層コートに比べて安価に製造できるので、安定して十分な反射率を得られるフロントモニタ用反射板を有する安価な光ヘッドを提供することが可能になっている。
【００１０】
また、上記光ヘッドにおいて、上記焼結セラミクスはアルミナの焼結体であることとしてもよい。これによっても、安定した反射率を得られるフロントモニタ用反射板を有する安価な光ヘッドを提供することが可能になる。
【００１１】
また、上記光ヘッドにおいて、光源と光検出器とを備え、フロントモニタ用反射板は光源から射出される光ビームの一部を反射し、光検出器はフロントモニタ用反射板の反射光を受光することとしてもよい。これによれば、光検出器の出力を用いてフロントモニタ方式によるＡＰＣを行うことができる。
【００１２】
また、上記光ヘッドにおいて、光源を含む複数の光源を備え、複数の光源はそれぞれ互いに異なる波長の光ビームを射出し、フロントモニタ用反射板は各光源から射出される各光ビームそれぞれの一部を反射し、光検出器はフロントモニタ用反射板によって反射された各光ビームを受光することとしてもよい。焼結セラミクス複数波長に対して安定した反射率を有するので、このように一組のフロントモニタ用反射板と光検出器により上記各光ビームを受光することが可能になる。
【００１３】
また、上記光ヘッドにおいて、光ビームの光路の側方に開口部を有する筐体をさらに備え、フロントモニタ用反射板は、筐体のうち開口部の光源に対向する側面部分に、反射光が開口部から筐体の外部方向へ進むよう取り付けられ、光検出器は開口部にフロントモニタ用反射板に対向して設けられることとしてもよい。これによれば、フロントモニタ用反射板と光検出器との間の距離を短くすることができるので、光検出器は効率的に反射光を受光できるようになる。
【００１４】
また、上記光ヘッドにおいて、筐体は回路主基板上に実装され、開口部は筐体の回路主基板側の側面に設けられ、光検出器は回路主基板上の開口部に対応する位置に設けられることとしてもよい。これによれば、光検出器を両面実装可能な回路主基板に設けることが可能になる。
【００１５】
さらに、上記光ヘッドにおいて、光検出器の付属回路（可変抵抗等）をさらに備え、付属回路は、両面実装可能な回路主基板の光検出器の裏側に設けられることとしてもよい。これによれば、付属回路と光検出器の間の距離を短くすることができるので、優れた高速応答性を得ることができる。また、光検出器専用の配線部品（ＦＰＣ等）が不要になるので、コストダウンが実現される。
【００１６】
また、本発明による光学ドライブ装置は、上記各光ヘッドと、光検出器の出力に応じて光源の出力を制御する光源出力制御手段と、を備えることを特徴とする。これによれば、フロントモニタ方式によるＡＰＣを行える。
【発明の効果】
【００１７】
本発明によれば、安定して十分な反射率を得られるフロントモニタ用反射板を有する安価な光ヘッド及びそのような光ヘッドを備える光学ドライブ装置を提供することが可能になる。
【発明を実施するための最良の形態】
【００１８】
以下、添付図面を参照しながら、本発明の好ましい実施の形態について詳細に説明する。
【００１９】
［第１の実施の形態］
図１は、本発明の第１の実施の形態による光ヘッド１の模式図である。
【００２０】
図１（ａ）は、再生又は記録の対象である光ディスク２０の記録面の側面方向から見た光ヘッド１の模式図であり、同図（ｂ）は光ディスク２０の記録面の上面方向から見た光ヘッド１の模式図である。なお、光ディスク２０には、ＣＤ、ＤＶＤ、ＨＤ−ＤＶＤ、ＢＤ等の各種光ディスクを用いることができる。
【００２１】
図１に示すように、光ヘッド１は、レーザ光源２と、回折格子３と、ビームスプリッタ４と、コリメータレンズ５と、ミラー６と、１／４波長板７と、対物レンズ８と、アクチュエータ９と、アナモフィックレンズ１０と、光検出器１１と、フロントモニタ用反射板１２と、フロントモニタ用光検出器１３とを備えている。また、同図中のコントローラ５０は、光ヘッド１を有する光学ドライブ装置に備えられるものである。
【００２２】
まず、光ヘッド１の往路光学系においては、回折格子３は、レーザ光源２が発した光ビームを３ビーム（０次回折光及び±１次回折光）に分解しＰ偏光としてビームスプリッタ４に入射させる。ビームスプリッタ４は、入射されたＰ偏光を約１００％近く透過する。コリメータレンズ５は、ビームスプリッタ４を透過した光ビームを平行光とする。ミラー６は、コリメータレンズ５を通過した光ビームを反射して、その進路を光ディスク２０方向に折り曲げる。１／４波長板７は、ミラー６で反射した光ビームを円偏光とする。対物レンズ８は、１／４波長板７を通過した光ビームを収束光として光ディスク２０の記録面に照射する。
【００２３】
アクチュエータ９は、光検出器１１で受光される光ビームの強度やスポットの位置に応じて対物レンズ８の位置を制御する。これによって、対物レンズ８を通過した光ビームの焦点位置は光ディスク２０の記録面垂直方向及び半径方向に制御可能とされている。
【００２４】
次に、光ヘッド１の復路光学系においては、記録面で反射した光ビームが、対物レンズ８、１／４波長板７、ミラー６、コリメータレンズ５を逆行し、Ｓ偏光となってビームスプリッタ４に入射する。ビームスプリッタ４は、入射してきた光ビームを５０〜９０％反射してアナモフィックレンズ１０に入射させる。アナモフィックレンズ１０は、ビームスプリッタ４から入射された光ビームに非点収差を付与する。光検出器１１は、アナモフィックレンズ１０によって非点収差を付与された光ビームを受光する。
【００２５】
フロントモニタ用反射板１２はビームスプリッタ４とコリメータレンズ５の間に設けられ、レーザ光源２から射出される光ビームの一部を反射する。なお、フロントモニタ用反射板１２は、光ビームの周辺光束（光ビームのうち有効に記録再生に用いられる有効範囲以外の部分）を反射するように設置される。
【００２６】
フロントモニタ用反射板１２の材料としては焼結セラミクスを用いる。焼結セラミクスは結晶粒子を焼結したものであるので、入射した光ビームは結晶粒界や空孔で散乱され、焼結セラミクスを透過しない。一方で焼結セラミクスの反射率はフロントモニタ方式に用いるのに十分な値となっている。また、焼結セラミクスは使用環境や経年変化によってもほとんど品質変化しないので、焼結セラミクスの反射率は安定している。したがって、焼結セラミクスを用いて構成したフロントモニタ用反射板１２の反射率は十分な値で安定している。加えて、所定形状に加工した焼結セラミクスを配置するだけでよいことからフロントモニタ用反射板１２の製造工程が簡素化され、かつ焼結セラミクス自体は比較的安価に手に入るので、光ヘッド１全体としてのコストを下げることが可能になる。
【００２７】
焼結セラミクスの具体例としては、例えばアルミナの焼結体が挙げられる。この場合のアルミナの焼結体の表面粗さは０．２μｍＲａ程度以下とすることが好適である。例えば表面粗さ０．１μｍＲａ程度で厚さ０．６３５ｍｍのアルミナ基板が一般的な回路基板用として広く用いられているため安価に入手可能であるが、これであれば十分な品質と言える。また、アルミナ以外でも、耐候性に優れた金属酸化物で特に素材自体の吸収の少ないものであればアルミナと同様な効果が得られる。具体的には、ジルコニア、チタン酸バリウム、チタン酸カルシウムなどを用いることができる。
【００２８】
フロントモニタ用光検出器１３は、フロントモニタ用反射板１２によって反射された光ビームを受光して電気信号に変換し、コントローラ５０に出力する。コントローラ５０は、フロントモニタ用光検出器１３の出力に応じてレーザ光源２の出力を制御する（光源出力制御手段）。これにより、ＡＰＣが実行される。
【００２９】
なお、フロントモニタ用光検出器１３に受光される光ビームの光量が多いほど精度よくＡＰＣを実施できるが、概ね全光量の０．５％以上がフロントモニタ用光検出器１３に受光されるよう、フロントモニタ用反射板１２の位置及び材料を決定することが好適である。
【００３０】
また、フロントモニタ用光検出器１３において受光される反射光の光量は、受光素子１３１とフロントモニタ用反射板１２との間の距離Ａに依存する。
【００３１】
図２は、距離Ａとレーザ光源２の出力に対するフロントモニタ用光検出器１３への到達光量の割合との関係をグラフ化したものである。同図に示すように、距離Ａが大きくなるにしたがい、上記割合が減少する。これは、焼結セラミクスでは、光ビーム反射時に散乱が発生するためであると考えられる。フロントモニタ用光検出器１３で受光される反射光の光量は、フロントモニタ用光検出器１３自体の受光面の面積や、フロントモニタ用反射板１２の表面粗さ精度、レーザ光源２からの仰角、レーザ光源２のフォーフィールドパターン（射出光の広がり角分布）によっても大きく変動するので、これら全要素のバランスを考慮しつつ光ヘッド１の設計を行うことが望ましい。図２の例では、上記割合が０．５％となる３ｍｍ程度が距離Ａの上限である。
【００３２】
次に、フロントモニタ用反射板１２の実装について説明する。
【００３３】
図３は、光ヘッド１の断面図である。同図には光ヘッド１の他、光ヘッド１内の各光学素子を内部に収納して固定する筐体１００と、筐体１００から取り外し可能に構成され、回折格子３、ビームスプリッタ４、及びコリメータレンズ５を押さえつけて固定するカバー１２０と、両面実装可能な回路主基板１１０とについても示している。
【００３４】
筐体１００は光ビームの光路の側方、回路主基板１１０に取り付けられる側の面に開口部１０１を有している。
【００３５】
開口部１０１は、レーザ光源２に対向する側面部分１０２が斜めに形成され、そこにフロントモニタ用反射板１２が取り付けられている。側面部分１０２の角度は、フロントモニタ用反射板１２の反射光が開口部１０１から筐体１００の外部方向へ進むよう決定される。
【００３６】
次に、フロントモニタ用光検出器１３の実装について説明する。
【００３７】
図３に示したように、フロントモニタ用光検出器１３は回路主基板１１０の上記一方面上の開口部１０１に対応する位置に設けられる。これにより、フロントモニタ用光検出器１３はフロントモニタ用反射板１２に対向し、フロントモニタ用反射板１２で反射した光ビームを受光可能となっている。
【００３８】
図４は、開口部１０１付近の拡大図である。同図に示すように、フロントモニタ用光検出器１３は受光素子１３１を備えており、受光素子１３１はビアホール１１１内の導体１４を介して回路主基板１１０の裏側近傍にある付属回路１５へと接続されている。付属回路１５はフロントモニタ用光検出器１３の利得調整のために可変抵抗を有している。利得調整は光ヘッドの構成部品組み込み後の調整工程において行われるため光ヘッドの外面に配置されていなければならず、このため受光素子１３１から見て回路主基板１１０の裏側に位置している。
【００３９】
さらに、以上のような実装によりフロントモニタ用光検出器１３と付属回路１５との間の距離を短くすることで配線長が短くなり、配線によるインダクタ成分を小さくすることができるので、高速応答性が向上する。また、モニタ信号にノイズも乗りにくくなる。さらに、通常回路主基板１１０から離れた位置にフロントモニタ用光検出器１３が配置される場合に用いられる、専用の配線部品（ＦＰＣ等）が不要になるので、コストダウンが実現される。
【００４０】
ここで、本実施形態による光ヘッド１を用いた光学ドライブ装置について説明しておく。
【００４１】
図５は、本実施形態による光ヘッド１を用いた光学ドライブ装置の構成を概略的に示すブロック図である。
【００４２】
図５に示す光学ドライブ装置は、上述した光ヘッド１及びコントローラ５０の他、光ディスク２０を回転させるためのスピンドルモータ６１と、光ヘッド１にレーザ駆動信号を供給するレーザ駆動回路６２と、光ヘッド１にレンズ駆動信号を供給するレンズ駆動回路６３とを備えている。
【００４３】
コントローラ５０にはフォーカスサーボ追従回路６４、トラッキングサーボ追従回路６５及びレーザコントロール回路６６が含まれている。フォーカスサーボ追従回路６４が作動すると、回転している光ディスク２０の情報記録面にフォーカスがかかった状態となり、トラッキングサーボ追従回路６５が作動すると、光ディスク２０の偏芯している信号トラックに対して、レーザ光のスポットが自動追従状態となる。フォーカスサーボ追従回路６４及びトラッキングサーボ追従回路６５には、フォーカスゲインを自動調整するためのオートゲインコントロール機能及びトラッキングゲインを自動調整するためのオートゲインコントロール機能がそれぞれ備えられている。また、レーザコントロール回路６６は、レーザ駆動回路６２により供給されるレーザ駆動信号を生成する回路であり、上述したＡＰＣによって決定されるレーザ光源２の出力に応じたレーザ駆動信号の生成を行う他、光ディスク２０に記録されている記録条件設定情報に基づいて適切なレーザ駆動信号の生成を行う。
【００４４】
なお、これらフォーカスサーボ追従回路６４、トラッキングサーボ追従回路６５及びレーザコントロール回路６６については、コントローラ５０内に組み込まれた回路である必要はなく、コントローラ５０と別個の部品であっても構わない。さらに、これらは物理的な回路である必要はなく、コントローラ５０内で実行されるソフトウェアであっても構わない。
【００４５】
［第２の実施の形態］
図６は、本発明の第２の実施の形態による光ヘッド３１の模式図である。
【００４６】
光ヘッド３１は、レーザ光源として２波長レーザ光源３２及び１波長レーザ光源３４の２つを用いる点が光ヘッド１と異なっている。以下、光ヘッド１との相違点を中心に説明する。
【００４７】
図６（ａ）は光ディスク２０の記録面の側面方向から見た光ヘッド３１の模式図、同図（ｂ）は光ディスク２０の記録面の上面方向から見た光ヘッド３１の模式図である。
【００４８】
図６に示すように、光ヘッド３１は、２波長レーザ光源３２と、回折格子３３と、１波長レーザ光源３４と、回折格子３５と、ダイクロイックプリズム３６と、ビームスプリッタ３７と、コリメータレンズ３８と、液晶補正素子３９と、ミラー４０と、１／４波長板４１と、対物レンズ４２と、アクチュエータ４３と、アナモフィックレンズ４４と、光検出器４５と、フロントモニタ用反射板４６と、フロントモニタ用光検出器４７とを備えている。
【００４９】
２波長レーザ光源３２は、ＣＤ用の光ビーム（波長約７９０ｎｍ）及びＤＶＤ用の光ビーム（波長約６５０ｎｍ）を発する。一方、１波長レーザ光源３４は、青色光ディスク用の光ビーム（波長約４０５ｎｍ）を発する。回折格子３３は、レーザ光源３２が発した光ビームを上述した３ビームに分解しＰ偏光としてダイクロイックプリズム３６に入射させる。回折格子３５は、レーザ光源３４が発した光ビームを上述した３ビームに分解しＰ偏光としてダイクロイックプリズム３６に入射させる。ダイクロイックプリズム３６は、回折格子３３から入射された光ビームを透過してビームスプリッタ３７に入射させるとともに、回折格子３５から入射された光ビームを反射してビームスプリッタ３７に入射させる。
【００５０】
フロントモニタ用反射板４６は、光ヘッド１で用いるフロントモニタ用反射板１２と同様に、ビームスプリッタ３７とコリメータレンズ３８の間に設けられ、レーザ光源３２又は３４から射出される光ビームの一部（周辺光束）を反射する。
【００５１】
焼結セラミクスは複数波長に対して安定した反射特性を有するので、フロントモニタ用反射板４６の材料としても、フロントモニタ用反射板１２と同様、焼結セラミクスが好適である。もしガラスのような透明な材料を基材に用いてフロントモニタ用反射板４６を構成したと仮定すると、誘電体多層コートを施して反射率を１００％に極力近づけなければ、図４から分かるように、ガラス基材を透過した光ビームが、フロントモニタ反射板背後（通常は接着固定部）の筐体１００表面で反射し、その一部が迷光となって、フロントモニタ用光検出器１３に入射するため、検出光量が筐体１００の表面状態の影響を受けてしまう。波長の異なる複数の光ビームそれぞれについて１００％に近い反射コートを施すには数１０層に上る緻密な誘電体多層膜の形成が必要であり、高価なミラーとなってしまう。この点、焼結セラミクスは波長４００〜８００ｎｍの光を透過せず、どの波長においてもほぼ反射率が等しいため、フロントモニタ用反射板４６の材料として好適である。
【００５２】
フロントモニタ用光検出器４７は、光ヘッド１で用いるフロントモニタ用光検出器１３同様、フロントモニタ用反射板４６によって反射された光ビームを受光して電気信号に変換し、コントローラ５１に出力する。コントローラ５１は、フロントモニタ用光検出器４７の出力に応じてレーザ光源３２又は３４の出力を制御する（光源出力制御手段）。これにより、ＡＰＣが実行される。
【００５３】
以下、フロントモニタ用光検出器４７の回路構成及び実装について説明する。
【００５４】
図７は、フロントモニタ用光検出器４７の回路構成の詳細を示す図である。同図に示すように、フロントモニタ用光検出器４７は受光素子４７１、ゲイン切替制御部４７２、ゲイン可変アンプ４７３，４７６、スイッチ４７４，４７５を備えて構成される。また、フロントモニタ用光検出器４７は付属回路４８と接続されており、この付属回路４８は可変抵抗４８１，４８２，４８３を備えて構成される。
【００５５】
ゲイン切替制御部４７２は、再生記録対象の光ディスク２０の種類に応じて、スイッチ４７４，４７５の切り替えと、ゲイン可変アンプ４７３の利得制御とを行う。可変抵抗４８１，４８２，４８３は、それぞれ光ビームの波長４０５ｎｍ（ＢＤ，ＨＤ−ＤＶＤ用），６５０ｎｍ（ＤＶＤ用）、７９０ｎｍ（ＣＤ用）による受光素子４７１の感度の違いに対応させた抵抗値を有しており、ゲイン切替制御部４７２は、ＢＤ又はＨＤ−ＤＶＤが再生記録対象である場合に可変抵抗４８１とゲイン可変アンプ４７３，４７６とを接続し、ＤＶＤが再生記録対象である場合に可変抵抗４８２とゲイン可変アンプ４７３，４７６とを接続し、ＣＤが再生記録対象である場合に可変抵抗４８３とゲイン可変アンプ４７３，４７６とを接続する。
【００５６】
受光素子４７１の出力信号は、ゲイン可変アンプ４７３、可変抵抗４８１，４８２，４８３のいずれか、及びゲイン可変アンプ４７６を通って増幅される。ゲイン可変アンプ４７６の出力信号がフロントモニタ用光検出器４７の出力となる。
【００５７】
フロントモニタ用光検出器４７の実装は、図３及び図４で説明したフロントモニタ用光検出器１３の実装とほぼ同様である。ただし、付属回路４８は回路主基板１１０の光ヘッド３１が取り付けられている面と反対側の面に取り付けられ、導体１４を介してフロントモニタ用光検出器４７と接続されている。
【００５８】
図８（ａ）は、光ヘッド３１が取り付けられた回路主基板１１０を上方から見た平面図である。また、図８（ｂ）は図８（ａ）のＢ方向から見た回路主基板１１０の側面図であり、図８（ｃ）は図８（ａ）のＣ方向から見た回路主基板１１０の側面図である。これらの図にも示すように、フロントモニタ用光検出器４７と付属回路４８とは回路主基板の互いに反対の面に設置される。
【００５９】
なお、図８（ａ）にはコネクタ１１２も示している。上述したコントローラ５１はこのコネクタ１１２に接続され、回路主基板１１０に設けられた配線（不図示）を介して、フロントモニタ用光検出器４７と接続される。
【００６０】
以上のような実装により、フロントモニタ用光検出器１３と付属回路１５との間の距離を短くすることができるので、配線長が短くなり、配線によるインダクタ成分を小さくすることができるので、高速応答性が向上する。また、ノイズも乗りにくくなる。さらに、付属回路１５を構成する各可変抵抗の抵抗値は光ヘッド１の組み立て後に人手によって調整する必要があるが、付属回路１５が回路主基板１１０の表側に位置することになるので、調整の実施が容易になる。さらに、通常回路主基板１１０から離れた位置にフロントモニタ用光検出器１３が配置されることにより用いられる、専用の配線部品（ＦＰＣ等）が不要になるので、コストダウンが実現される。
【００６１】
以上、本発明の好ましい実施の形態について説明したが、本発明はこうした実施の形態に何等限定されるものではなく、本発明が、その要旨を逸脱しない範囲において、種々なる態様で実施され得ることは勿論である。
【図面の簡単な説明】
【００６２】
【図１】本発明の第１の実施の形態による光ヘッドの模式図である。
【図２】本発明の第１の実施の形態による受光部とフロントモニタ用反射板との間の距離と、レーザ光源の出力に対するフロントモニタ用光検出器への到達光量の割合との関係をグラフ化したものである。
【図３】本発明の第１の実施の形態による光ヘッドの断面図である。
【図４】本発明の第１の実施の形態による開口部付近の拡大図である。
【図５】本発明の第１の実施の形態によるによる光ヘッドを用いた光学ドライブ装置の構成を概略的に示すブロック図である。
【図６】本発明の第２の実施の形態による光ヘッドの模式図である。
【図７】本発明の第２の実施の形態によるフロントモニタ用光検出器の回路構成の詳細を示す図である。
【図８】（ａ）は、第２の実施の形態による光ヘッドを上方から見た平面図である。（ｂ）は（ａ）のＢ方向から見た回路主基板の側面図である。（ｃ）は（ａ）のＣ方向から見た回路主基板の側面図である。
【符号の説明】
【００６３】
１，３１  光ヘッド
２      レーザ光源
３，３３，３５  回折格子
４，３７  ビームスプリッタ
５，３８  コリメータレンズ
６，４０  ミラー
７，４１  １／４波長板
８，４２  対物レンズ
９，４３  アクチュエータ
１０，４４  アナモフィックレンズ
１１，４５  光検出器
１２，４６    フロントモニタ用反射板
１３，４７    フロントモニタ用光検出器
１４    導体
１５，４８    付属回路
２０    光ディスク
３１    光ヘッド
３２    ２波長レーザ光源
３４    １波長レーザ光源
３６    ダイクロイックプリズム
３９    液晶補正素子
５０，５１  コントローラ
６１    スピンドルモータ
６２    レーザ駆動回路
６３    レンズ駆動回路
６４    フォーカスサーボ追従回路
６５    トラッキングサーボ追従回路
６６    レーザコントロール回路
１００  筐体
１０１  開口部
１０２  側面部分
１１０  回路主基板
１１１  ビアホール
１１２  コネクタ
１２０  カバー
１３１，４７１  受光素子
４７２  ゲイン切替制御部
４７３，４７６  ゲイン可変アンプ
４７４，４７５  スイッチ
４８１，４８２，４８３  可変抵抗
【図１】
2009193621.tif 000003
【図２】
2009193621.tif 000004
【図３】
2009193621.tif 000005
【図４】
2009193621.tif 000006
【図５】
2009193621.tif 000007
【図６】
2009193621.tif 000008
【図７】
2009193621.tif 000009
【図８】
2009193621.tif 000010